(57)【要約】      （修正有）【課題】本発明は、所望のボール高さを容易に設定でき、且つ、一旦設定すると、軸部を差し込む際にも設定された高さを確実に維持することができ、更に、間違って打撃した場合であっても、飛んでしまって紛失することのないゴルフティーを提供することを目的とする。【解決手段】ゴルフティーであって、ゴルフボールが載置される載置部と、該載置部から下方へ延出する軸部とから成るティー本体と、該軸部に嵌合されるリングとを含んで成り、該軸部の表面に、該軸部の軸線に対して水平方向に、少なくとも２以上の溝、又は少なくとも３以上の凸条が周設され、該軸部の下部表面に、該軸部の下方から上方に向かって斜めに立ち上がる抵抗板が設けられているゴルフティーである。【選択図】図１（ａ）
2005296026.tif 000002
【特許請求の範囲】
【請求項１】
ゴルフティーであって、
ゴルフボールが載置される載置部と、該載置部から下方へ延出する軸部とから成るティー本体と、
該軸部に嵌合されるリングと
を含んで成り、
該軸部の表面に、該軸部の軸線に対して水平方向に、少なくとも２以上の溝、又は少なくとも３以上の凸条が周設され、
該軸部の下部表面に、該軸部の下方から上方に向かって斜めに立ち上がる抵抗板が設けられていることを特徴とするゴルフティー。
【請求項２】
前記ティー本体が弾性部材を含んで成ることを特徴とする請求項１に記載のゴルフティー。
【請求項３】
前記軸部の下端部が金属製であることを特徴とする請求項１又は２に記載のゴルフティー。
【請求項４】
前記軸部に、金属製の芯材が埋設されていることを特徴とする請求項１乃至３のいずれかに記載のゴルフティー。
【請求項５】
前記抵抗板が可撓性部材から成ることを特徴とする請求項１乃至４のいずれかに記載のゴルフティー。
【請求項６】
前記抵抗板が環状を成し、前記下部表面に周設されていることを特徴とする請求項１乃至５のいずれかに記載のゴルフティー。
【請求項７】
前記抵抗板が前記下部表面に、螺旋状に周設されていることを特徴とする請求項１乃至５のいずれかに記載のゴルフティー。
【発明の詳細な説明】
【技術分野】
【０００１】
本発明は、ゴルフボールをティーアップするために使用されるゴルフティーに関する。
【背景技術】
【０００２】
従来のゴルフティーは、ゴルフボールが載置される載置部と、地面に差し込まれる差込部（軸部）とから構成される木製やプラスチック製のものであり、その全体形状は略棒状であるか、或いは、軸部が上部の太軸部と下部の細軸部との二段状に構成されているものが殆どである。略棒状のゴルフティーは、ゴルファーが差込部の差し込み長さを任意に変化させることによって、載置部の地面からの高さ、つまりボールの位置を所望の高さに自在に設定することが可能である。一方、二段状に構成されたゴルフティーでは、細軸部を地面に差し込み、太軸部の下端面を地面に突き当てることによって、地面からのボールの高さを常に一定とすることが可能である。
【０００３】
しかし、これらのゴルフティーでは、ゴルフのプレー当日の天候、使用クラブ、ゴルファーの熟練度やコンディション等に応じて、ゴルファーが求めるボールの高さを任意に設定し、且つ一定に保つことは困難である。また、木製やプラスチック製という比較的硬質のゴルフティーは、打球の際に割れたり折れたりするという問題もある。
【０００４】
そこで、ゴルフティーを構成する軸部の外周に、チューブを上下に移動調整可能に軽圧入させたゴルフティーが開示されている（例えば、特許文献１参照。）。このゴルフティーによれば、チューブを上下に移動させて、チューブの下端面が地面に突き当たるまで軸部を地面に差し込むことによって、ゴルファーの求めるボールの高さを簡単に設定することができる。
【０００５】
一方、ゴルフティーを構成する軸部が形状記憶合金で形成されたものや（例えば、特許文献２参照。）、ゴルフティーの載置部及び軸部の上部がゴム製、軸部の下部、つまり差込部がプラスチック製であるものも開示されている（例えば、特許文献３参照。）。これらのゴルフティーは、いずれも打球の際に割れたり折れたりすることを防止しようとするものである。
【０００６】
【特許文献１】実開平２−０７４０７１号公報（実用新案登録請求の範囲、図１）
【特許文献２】特開平７−２１３６６０号公報（特許請求の範囲、図１）
【特許文献３】特開２００３−１８０８９４号公報（特許請求の範囲、図１）
【発明の開示】
【発明が解決しようとする課題】
【０００７】
しかし、特許文献１に開示されたゴルフティーであっても、チューブの位置を固定することはできず、ゴルフティーを差し込む際に強く差し込みすぎると、チューブが軸部の上方へ移動して、予め設定しておいたボールの高さが変更されてしまうこととなる。
【０００８】
また、特許文献２、３に開示されたゴルフティーでは、ボールの高さを任意に設定することができない。仮に、これらのゴルフティーの外周にチューブを軽圧入させたとしても、所望のボールの高さを確実に維持することはできない。
【０００９】
更に、上述したゴルフティーはいずれも、打球の際にゴルフクラブのヘッドが当たって、ボールと一緒にゴルフティーも打撃してしまうと、飛んでいって紛失する恐れがある。
【００１０】
そこで本発明は、所望のボール高さを容易に設定でき、且つ、一旦設定すると、軸部を差し込む際にも設定された高さを確実に維持することができ、更に、間違って打撃した場合であっても、飛んでしまって紛失することのないゴルフティーを提供することを目的とする。
【課題を解決するための手段】
【００１１】
即ち、本発明の要旨とするところは、ゴルフティーであって、
ゴルフボールが載置される載置部と、該載置部から下方へ延出する軸部とから成るティー本体と、
該軸部に嵌合されるリングとを含んで成り、
該軸部の表面に、該軸部の軸線に対して水平方向に、少なくとも２以上の溝、又は少なくとも３以上の凸条が周設され、
該軸部の下部表面に、該軸部の下方から上方に向かって斜めに立ち上がる抵抗板が設けられていることにある。
【００１２】
また、かかるゴルフティーにおいて、前記ティー本体は弾性部材を含んで成ることが好ましい。
【００１３】
また、かかるゴルフティーにおいて、前記軸部の下端部は金属製であってもよく、或いは、前記軸部に、金属製の芯材が埋設されていてもよい。
【００１４】
更に、かかるゴルフティーにおいて、前記抵抗板は可撓性部材で成ることが好ましい。
【００１５】
また更に、かかるゴルフティーにおいて、前記抵抗板が環状を成し、前記下部表面に周設されていてもよく、或いは、前記抵抗板が前記下部表面に、螺旋状に周設されていてもよい。
【発明の効果】
【００１６】
本発明のゴルフティーは、軸部に嵌合されたリングによって、ゴルファーの所望のボール高さを容易に設定することができる。また、リングは、軸部に周設された溝、又は凸条によって固定されるため、軸部を地面に差し込む際、予め設定したボール高さが変化することがなく、一定のボール高さを確実に維持することができる。
【００１７】
また、軸部の下部表面には抵抗板が設けられているため、誤ってティー本体を打撃した場合であっても、ティー本体が抜けにくくなり、ゴルフティーの紛失を防止することができる。
【００１８】
更に、ティー本体が弾性部材を含んで成る場合には、打球の際、ティー本体が割れたり折れたりすることを防止できる。また、軸部内に金属製の芯材を埋設することによって、ティー本体の強度を向上することができる。
【００１９】
一方、軸部の下端部を金属製とすることによって、地面への差し込みが容易となり、特に固い地面に差し込む際には非常に有効である。
【００２０】
また、抵抗板を可撓性部材で構成することによって、ティー本体を差し込む際には抵抗板が軸部側に倒れて、差し込みの邪魔をすることなく容易に行える。
【００２１】
更に、抵抗板を環状にし、軸部の下部表面に周設することによって、ティー本体を打撃した場合であっても、ティー本体は更に抜けにくくなる。また、抵抗板を螺旋状に周設した場合には、ティー本体が抜けて飛んでしまうことの防止効果が更に高まることとなる。
【発明を実施するための最良の形態】
【００２２】
以下、本発明の態様を図面に基づいて説明するが、本発明の態様は以下に示したものに限定されない。なお、本明細書において、各図にわたって記される同じ符号は、同一又は同様の部材やものを示す。
【００２３】
図１（ａ）は、本発明のゴルフティーの一態様を示す側面図、図１（ｂ）は、縦方向断面図である。本発明のゴルフティー２は、同図に示すように、ボール４が載置される載置部６、及び載置部６から下方へ延出し、下端部８ｄが先細り形状である軸部８で構成されて成るティー本体１０と、軸部８に嵌合されるリング１２とを含んで成る。また、軸部８の表面８ａには、軸部８の軸線８ｂに対して水平方向に複数の溝１４が周設されており、リング１２が、この複数の溝１４のいずれかに嵌め込まれている。この時、リング１２の外周部１２ａは軸部８の表面８ａから外側に突出した状態となる。更に、軸部８の下部表面８ｃには、軸部８の下方から上方に向かって斜めに立ち上がる複数の抵抗板１６が設けられている。
【００２４】
ここで、ティー本体１０の材質は、弾性部材であることが好ましい。ティー本体１０は、打球の際にゴルフクラブのヘッドが当たって割れたり折れたりする恐れがある。そこで、ティー本体１０の材質を弾性部材とすることにより、ゴルフクラブのヘッドが当たった場合であっても、ティー本体１０を構成する載置部６が割れたり、軸部８が折れたりすることを防止できる。特に、弾性部材を含んで成る軸部８は適度な可撓性を備えるため、打球の際にヘッドが当たっても破損する恐れがないばかりか、軸部８が撓むことによって、ボールの飛距離に悪影響を及ぼすこともない。なお、弾性部材としては、ウレタンゴム、シリコンゴム、アクリルゴム等の各種ゴムが挙げられるが、これらに限定されず、適度な弾性（可撓性）を備える樹脂であれば何れであってもよい。
【００２５】
また、ティー本体１０における軸部８には、金属製の芯材１８が埋設されていることが好ましい。上記の弾性部材から成る軸部８に金属製の芯材１８を埋設することによって、弾性部材が備える可撓性と、芯材１８が備える剛性とを併せ持ったティー本体１０が得られる。なお、芯材１８が、ティー本体１０の上部に位置する載置部６付近まで埋設されると、弾性部材から成ることによって得られる軸部８の可撓性が発揮されない。そこで、芯材１８の長さは、軸部８の下端部８ｄから、ティー本体１０の全長の少なくとも３分の２以下とすることが好ましい。また、芯材１８の材質としては、ステンレス、胴、アルミニウム等の金属や各種合金が適用でき、特に限定されるものではない。
【００２６】
更に、抵抗板１６は、可撓性部材によって形成されていることが好ましい。抵抗板１６は、打球の際、ティー本体１０が地面から抜けてしまうことを防止するために設けられるものであり、軸部８を地面に差し込む時に、抵抗板１６も同時に地中に埋設される。この時、抵抗板１６が剛性を備えていると、軸部８を差し込む際に抵抗板１６が地面に突き当たって、軸部８を所定の位置まで差し込むことが不可能となる。そこで、抵抗板１６を可撓性部材で形成することによって、軸部８を地面に差し込む際には、抵抗板１６が軸部８側に倒れて差し込みが容易となる。一方、ティー本体１０が地面から抜けそうになると、抵抗板１６が地中で開いて抵抗し、ティー本体１０は抜けにくくなる。なお、可撓性部材としては、ウレタンゴム、シリコンゴム、アクリルゴム等が好ましいが、これらに限定されず、あらゆるエラストマーが適用可能である。
【００２７】
以上の構成から成るゴルフティー２によりゴルフボールをティーアップする際には、軸部８を地面に差し込んだ時にボール４の位置が所望の高さとなるように、ゴルファー自身が所定の溝１４にリング１２を嵌め込んで、地面への軸部８の差し込み長さを設定する。リング１２が溝１４に嵌め込まれた状態で軸部８を地面に差し込むと、図２（ａ）に示すように、軸部８の表面８ａから突出したリング１２の下端面１２ｂが地面２０に突き当たり、ティー本体１０はそれ以上地面２０に差し込むことが不可能となる。
【００２８】
なお、上述の通り、軸部８を地面２０に差し込む際に、可撓性部材から成る抵抗板１６は軸部８側に倒れるため、抵抗板１６自体が軸部８の差し込みの邪魔となることはない。一方、打球の後、ゴルフティー２を地面２０から引き抜く際には、軸線８ｂに沿って上方に引き上げると、可撓性部材から成る抵抗板１６は下方に変位して、抵抗なく容易に抜くことができる（図２（ｂ）参照）。
【００２９】
このように、ゴルファーが求めるボール４の地面２０からの高さは、軸部８に嵌合されるリング１２によって容易に設定することができる。また、リング１２は軸部８に設けられた溝１４に嵌め込まれた状態となっているため、リング１２が簡単に移動することはなく、所定の高さを維持することが可能となる。
【００３０】
更に、ティー本体１０を弾性部材で構成することによって、ティー本体１０の破損を防止できる。また、軸部８には金属製の芯材１８を埋設しておくことによって、ティー本体１０が補強され、破損の防止効果が更に高まる。
【００３１】
また更に、軸部８の下部表面８ｃに設けられた抵抗板１６が地中に埋設されることによって、打球の際にティー本体１０が抜けにくくなり、ゴルフティー２を紛失する恐れがなくなる。
【００３２】
以上、本発明の好ましい態様について詳述したが、本発明の態様は上述したものに限定されない。
【００３３】
例えば、図３に示すように、軸部８の下端部８ｄを金属製としてもよい。つまり、下端部８ｄを金属製とすることによって、軸部８の地面への差し込みを容易に行うことが可能となる。特に、固い地面に差し込む際には、下端部８ｄが金属製であることが好ましく、また、下端部８ｄは地面に何度も差し込まれる部分であるため、金属製とすることで下端部８ｄの損傷を低減でき、ティー本体１０の長寿命化が図られる。なお、下端部８ｄを金属製とする態様では、図示したように、芯材１８と一体に構成されてもよく、或いは芯材１８とは別に構成されてもよい。
【００３４】
一方、抵抗板の形状についても、上述した抵抗板１６のような態様（図１〜３参照）に限定されず、例えば、図４に示すように、環状であって、お碗型の抵抗板１６ａが軸部８の下部表面８ｃに周設されたゴルフティー２ａのような態様であってもよい。このように、環状を成す抵抗板１６ａを下部表面８ｃに周設することによって、ティー本体１０が更に抜けにくくなり、ゴルフティー２ａの紛失を防止できる。
【００３５】
また、図５に示すゴルフティー２ｂのような、軸部８の下部表面８ｃに、螺旋状に周設された抵抗板１６ｂを備える態様であってもよい。このように、下部表面８ｃに抵抗板を螺旋状に設けることによって、ティー本体１０は一層抜けにくくなり、ゴルフティー２ｂの紛失を防止できる。
【００３６】
更に、本発明の他の態様として、図６に示すような、軸部８の表面８ａに複数の凸条２２が周設されたゴルフティー２ｃであってもよい。リング１２は、凸条２２同士の間に嵌合されて位置決めされるため、軸部８を地面に差し込んだ際、リング１２が上方へ移動することがなく、軸部８の差し込み長さを一定に保つことができる。
【００３７】
以上、本発明のゴルフティーについて詳述したが、本発明はその趣旨を逸脱しない範囲で、当業者の知識に基づき種々の改良、修正、変形を加えた態様で実施し得るものであり、例えば、軸部８に埋設される芯材１８としては金属製に限定されず、カーボン繊維、アラミド繊維等の繊維棒材も適用可能である。
【００３８】
また、抵抗板１６ａ、１６ｂについても、抵抗板１６と同様、ウレタンゴム、シリコンゴム、アクリルゴム等の可撓性部材から成ることが好ましく、これらの態様はいずれも本発明の範囲に属するものである。
【図面の簡単な説明】
【００３９】
【図１（ａ）】本発明のゴルフティーを示す側面図である。
【図１（ｂ）】図１（ａ）に示すゴルフティーの縦方向断面図である。
【図２（ａ）】本発明のゴルフティーの使用状態を示す側面図である。
【図２（ｂ）】図２（ａ）に示すゴルフティーを地面からの抜き取り時の状態を示す側面図である。
【図３】本発明のゴルフティーの他態様を示す縦方向断面図である。
【図４】本発明に係る抵抗板の他態様を示す側面図である。
【図５】本発明に係る抵抗板の他態様を示す側面図である。
【図６】本発明のゴルフティーの他態様を示す側面図である。
【符号の説明】
【００４０】
２、２ａ〜２ｃ：ゴルフティー
４：ボール
６：載置部
８：軸部
１０：ティー本体
１２：リング
１４：溝
１６、１６ａ、１６ｂ：抵抗板
１８：芯材
２０：地面
２２：凸条
【図１（ａ）】
2005296026.tif 000003
【図１（ｂ）】
2005296026.tif 000004
【図２（ａ）】
2005296026.tif 000005
【図２（ｂ）】
2005296026.tif 000006
【図３】
2005296026.tif 000007
【図４】
2005296026.tif 000008
【図５】
2005296026.tif 000009
【図６】
2005296026.tif 000010